(57)【要約】【課題】製造工程を簡素化してコストを減らすとともに、靴本体の強度及び防振性を高める靴底ソール補強装置を提供する。【解決手段】靴底ソール補強装置は、靴底１及びサポート補強部材２を備える。靴底１は、前足部１１、アーチ部１２及び踵部１３を有する。前足部１１、アーチ部１２及び踵部１３には、収納エリア１４が凹設される。踵部１３は、ヒール１５と一体成形される。踵部１３の端面には、ヒール１５に向かう嵌入凹槽１５１が形成される。サポート補強部材２は、靴底１の収納エリア１４内に対応して組立てられ、嵌入凹槽１５１に対応した箇所に突出部２１を有する。突出部２１の頂端には、一側に向かって延びたサポート部２２が延設される。サポート部２２は、踵部１３からアーチ部１２に跨いで接続される。【選択図】図１
0003223495.tif 000002
【実用新案登録請求の範囲】
【請求項１】
靴底及びサポート補強部材を備えた、靴底ソール補強装置であって、
前記靴底は、前足部、アーチ部及び踵部を有し、前記前足部、前記アーチ部及び前記踵部には、収納エリアが凹設され、前記踵部は、ヒールと一体成形され、前記踵部の端面には、前記ヒールに向かう嵌入凹槽が形成され、
前記サポート補強部材は、前記靴底の前記収納エリア内に対応して組立てられ、前記嵌入凹槽に対応した箇所に突出部を有し、前記突出部の頂端には、一側に向かって延びたサポート部が延設され、前記サポート部は、前記踵部から前記アーチ部に跨いで接続されることを特徴とする、
靴底ソール補強装置。
【請求項２】
前記靴底の前記前足部、前記アーチ部及び前記踵部の外周には、内環縁が設けられ、前記内環縁と前記収納エリアとの間には、側壁が設けられ、前記内環縁は、アッパーの周縁に嵌入され、縫糸により前記側壁に縫着されて前記アッパーが固定されることを特徴とする請求項１に記載の靴底ソール補強装置。
【考案の詳細な説明】
【技術分野】
【０００１】
本考案は、靴底ソール補強装置に関し、特に、製造工程を簡素化してコストを減らすとともに、靴本体の強度及び防振性を高める靴底ソール補強装置に関する。
【背景技術】
【０００２】
ハイヒールを履くと、女性は背が高く見え、しなやかでエレガントな歩き方となる。一般にハイヒールは、アッパー、ミッドソール、靴底及びヒールから構成されてなる。アッパーは、履き口を有するとともに、ミッドソールに接着される。アッパーとミッドソールとが一体成形された後、靴底に接着されて一体成形される。ミッドソール上には、クッションが貼設される。靴底上には、金属材料からなる長尺状のサポート部材が設けられる。ミッドソールと靴底とが結合されると、サポート部材がミッドソール及び靴底により覆われる。靴底の後部には、釘などの部品固定具をサポート部材の釘孔に挿通させてヒールが固定される。ヒールが一定の高さを有するため、ハイヒールの後部を一定の高さに保つことができる。
【０００３】
上述した製造工程では、接着剤を塗布して接着する他、金属材料からなる長尺状のサポート部材を靴底に設けてハイヒールのアーチ部分の弧面を維持し、金属製サポート部材により受力強度を得ていたため、金属製サポート部材が無い場合、ハイヒールは体重を支えることができなかった。また、ヒールは、釘その他の部品固定具により靴底に固定していたため、製造工程が煩雑となり、コストが高くなるという欠点があった。
【０００４】
こうした現状に鑑み、本考案者は鋭意研究を重ねた結果、従来技術の欠点を改善する靴底ソール補強装置を完成したものである。
【考案の概要】
【考案が解決しようとする課題】
【０００５】
本考案の目的は、製造工程を簡素化してコストを減らすとともに、靴本体の強度及び防振性を高める靴底ソール補強装置を提供することにある。
【課題を解決するための手段】
【０００６】
上記課題を解決するために、本考案の第１の形態によれば、靴底及びサポート補強部材を備えた、靴底ソール補強装置であって、前記靴底は、前足部、アーチ部及び踵部を有し、前記前足部、前記アーチ部及び前記踵部には、収納エリアが凹設され、前記踵部は、ヒールと一体成形され、前記踵部の端面には、前記ヒールに向かう嵌入凹槽が形成され、前記サポート補強部材は、前記靴底の前記収納エリア内に対応して組立てられ、前記嵌入凹槽に対応した箇所に突出部を有し、前記突出部の頂端には、一側に向かって延びたサポート部が延設され、前記サポート部は、前記踵部から前記アーチ部に跨いで接続されることを特徴とする、靴底ソール補強装置が提供される。
【０００７】
前記靴底の前記前足部、前記アーチ部及び前記踵部の外周には、内環縁が設けられ、前記内環縁と前記収納エリアとの間には、側壁が設けられ、前記内環縁は、アッパーの周縁に嵌入され、縫糸により前記側壁に縫着されて前記アッパーが固定されることが好ましい。
【考案の効果】
【０００８】
本考案の靴底ソール補強装置は、以下（１）及び（２）の効果を有する。
（１）靴底に一体成形されるとともに、サポート補強部材が嵌設されているため、接着剤で接着する工程が必要無く、部材の数を減らし、製造工程を簡素化してコストを減らすとともに、防振性及び安定性を高めることができる。
（２）内環縁が設けられているため、アッパーの結合に接着剤を塗布する必要が無い上、糸通し穴を予め設ける必要も無く、縫糸が内環縁に覆われて内側に隠れて露出されないため外観が良い。
【図面の簡単な説明】
【０００９】
【図１】本考案の一実施形態に係る靴底ソール補強装置を示す分解斜視図である。
【図２】本考案の一実施形態に係る靴底ソール補強装置を示す組立斜視図である。
【図３】本考案の一実施形態に係る靴底ソール補強装置を示す断面図である。
【図４】本考案の一実施形態に係る靴底ソール補強装置にアッパーが固定された状態を示す部分断面図である。
【考案を実施するための形態】
【００１０】
以下、本考案の実施形態について図に基づいて説明する。なお、これによって本考案が限定されるものではない。
【００１１】
図１を参照する。図１は、本考案の一実施形態に係る靴底ソール補強装置を示す分解斜視図である。図１に示すように、本考案の一実施形態に係る靴底ソール補強装置は、少なくとも靴底１及びサポート補強部材２から構成されてなる。
【００１２】
靴底１は、前足部１１、アーチ部１２及び踵部１３を有する。前足部１１、アーチ部１２及び踵部１３には、収納エリア１４が凹設され、上述した踵部１３は、ヒール１５と一体成形される。上述した踵部１３の端面には、上述したヒール１５に向かう嵌入凹槽１５１が形成される。
【００１３】
サポート補強部材２は、上述した靴底１の収納エリア１４内に対応して組立てられ、上述した嵌入凹槽１５１に対応した箇所に突出部２１を有する。上述した突出部２１の頂端には、一側に向かって延びたサポート部２２が延設されている。上述したサポート部２２は、上述した踵部１３から上述したアーチ部１２に跨いで接続される。
【００１４】
図１〜図３に示すように、実際に組み立てる際、上述した靴底１は、前足部１１、アーチ部１２及び踵部１３と一体成形され、前足部１１、アーチ部１２及び踵部１３の端面には、内側に凹んだ収納エリア１４が設けられる。上述した踵部１３下には、ヒール１５が一体成形される。このように、ヒール１５を接着剤又は釘で結合させる必要が無いため、製造工程でそれらの工程を省略することができる。
続いて、上述した収納エリア１４に上述したサポート補強部材２を入れ、上述したサポート補強部材２の突出部２１を上述した踵部１３端面の嵌入凹槽１５１内に対応して嵌入させる。上述したサポート補強部材２のサポート部２２は、上述した踵部１３から上述したアーチ部１２に跨いで接続され、上述したサポート補強部材２の突出部２１によりヒール１５の強度が向上し、一体成形された上述したサポート部２２によりアーチ部１２の受力強度が向上し、全体として防振性、安定性が向上する。
【００１５】
図３及び図４を参照する。図３及び図４に示すように、靴底１の外側にアッパー３を結合する際、上述した靴底１の前足部１１、アーチ部１２及び踵部１３の外周には、内環縁１６が設けられ、上述した内環縁１６と上述した収納エリア１４との間には、側壁１７が設けられており、上述した内環縁１６がアッパー３の周縁に嵌入され、機械縫製、手縫いなどの方式で縫糸Ａにより上述した側壁１７に縫着されて上述したアッパー３が固定される。アッパー３と靴底１とを結合させると、図４に示すように、縫糸Ａが覆われて内側に隠れて露出されないため外観が良い。
【００１６】
上述した構成及び説明から分かるように、本考案の靴底ソール補強装置は、従来の構造と比べ、以下（１）及び（２）の長所を有する。
（１）靴底に一体成形されるとともに、サポート補強部材が嵌設されているため、接着剤で接着する工程が必要無く、部材の数が少なく、製造工程を簡素化してコストを減らすとともに、防振性及び安定性を高めることができる。
（２）内環縁を設け、アッパーの結合に接着剤を塗布する必要が無い上、糸通し穴を予め設ける必要も無く、縫糸が内環縁に覆われて内側に隠れて露出されないため外観が良い。
【符号の説明】
【００１７】
１  靴底
２  サポート補強部材
３  アッパー
１１  前足部
１２  アーチ部
１３  踵部
１４  収納エリア
１５  ヒール
１６  内環縁
１７  側壁
２１  突出部
２２  サポート部
１５１  嵌入凹槽
Ａ  縫糸
【図１】
0003223495.tif 000003
【図２】
0003223495.tif 000004
【図３】
0003223495.tif 000005
【図４】
0003223495.tif 000006